(57)【要約】【課題】コネクタと基板との固定強度を維持しつつ、光学検査機により半田付け部の状態を検査できるコネクタの提供。【解決手段】正面において相手側コネクタと抜き挿しされるハウジング（２）と、ハウジング（２）の背面（２３）から突出して基板（１０）に先端を半田付けされる端子（３）と、ハウジング（２）の側面（２１）に取り付けられて基板（１０）に固定される固定部材（４）とを備えたコネクタ（１）である。固定部材（４）は、端子（３）の突出する方向に沿って延びる延長部（４２）を有し、延長部（４２）は、光を透過する透過部（４７）を含むことを特徴とする。【選択図】  図１
2014120217.tif 000002
【特許請求の範囲】
【請求項１】
正面において相手側コネクタと抜き挿しされるハウジングと、
前記ハウジングの背面から突出して基板に先端を半田付けされる端子と、
前記ハウジングの側面に取り付けられて前記基板に固定される固定部材とを備えたコネクタであって、
前記固定部材は、前記端子の突出する方向に沿って延びる延長部を有し、
前記延長部は、光を透過する透過部を含むことを特徴とするコネクタ。
【請求項２】
前記透過部には透明な材料からなる透明部材が設置されていることを特徴とする前記請求項１に記載されるコネクタ。
【請求項３】
前記透過部には前記固定部材を貫通する穴が形成されることを特徴とする前記請求項１に記載されるコネクタ。
【請求項４】
前記延長部は透明であることを特徴とする前記請求項１に記載されるコネクタ。
【請求項５】
請求項１〜４のいずれかに記載のコネクタを前記基板に取り付け、前記端子と前記基板とを半田付けした半田付け部の状態を検査するコネクタの検査方法であって、
前記透過部を介して前記半田付け部に光を照射すること、又は、前記透過部を介して前記半田付け部からの反射光を受光することにより前記半田付け部の状態を検査する検査方法。
【請求項６】
前記ハウジングの前記基板に取り付けられる側を下方とし、前記ハウジングの前記基板とは反対側の面の側を上方とすると、
前記端子は複数本あって、
複数本の前記端子には、
前記背面から列をなして突出する複数の下側列端子と、
前記背面から前記下側端子より上方において列をなして突出する複数の上側列端子とがあり、
前記複数の上側列端子が、列をなして前記基板に半田付けされることにより、それら半田付け箇所が、上側列半田付け部列を形成し、
前記複数の下側列端子は、前記背面と前記上側列半田付け部列との間に半田付けされ、
前記上側列端子は、
前記背面から突出する突出部と、
前記基板に向かい屈曲する屈曲部と、
前記突出部と前記屈曲部とを繋ぎ、前記突出部及び前記屈曲部よりも径の細いくびれ部とを有することを特徴とする前記請求項１乃至４に記載されるコネクタ。
【発明の詳細な説明】
【技術分野】
【０００１】
本発明はコネクタ及びコネクタの検査方法に関し、特に、ハウジングから突出して基板に先端を半田付けされる端子と、端子の突出する方向に沿って延びる延長部を有する固定部材とを備えるコネクタ及びコネクタの検査方法に関する。
【背景技術】
【０００２】
電子部品の小型化への要求に応えるため、小さなスペースに実装しても基板への固定を維持できるコネクタが提案されている。
【０００３】
例えば、特許文献１に開示されるコネクタでは、コネクタのハウジングの外壁部に固定金具を設置し、さらに、この固定金具と基板とを半田付けすることで、コネクタと基板との固定強度を高めている。さらに、このコネクタでは、ハウジングの外壁面から端子の突き出す方向に沿って、端子の先端まで延びる延長部が設置されている。この延長部の設置により、相手側コネクタをハウジングから抜き挿ししても、コネクタと基板との固定を補強してコネクタの基板への固定を維持している。
【先行技術文献】
【特許文献】
【０００４】
【特許文献１】特開２００７−０１２５２２号公報
【発明の概要】
【発明が解決しようとする課題】
【０００５】
しかし、特許文献１に開示されるコネクタでは、光学検査機を用いて、端子の先端と基板とを半田付けした半田付け部の状態を検査しようとすると、光学検査機による入光や受光を延長部が遮ってしまう。そのため、光学検査機を用いた検査ができないことがあった。
【０００６】
本発明は、このような問題点を解決するためになされたものであり、コネクタと基板との固定強度を維持しつつ、光学検査機により半田付け部の状態を検査できるコネクタを提供することを目的とする。
【課題を解決するための手段】
【０００７】
本発明にかかるコネクタは、正面において相手側コネクタと抜き挿しされるハウジングと、前記ハウジングの背面から突出して基板に先端を半田付けされる端子と、前記ハウジングの側面に取り付けられて前記基板に固定される固定部材とを備えたコネクタであって、前記固定部材は、前記端子の突出する方向に沿って延びる延長部を有し、前記延長部は、光を透過する透過部を含むことを特徴とするものである。このような構成により、コネクタと基板との固定強度を維持しつつ、光学検査機により半田付け部の状態を検査することができる。
【０００８】
ここで、前記透過部には透明な材料からなる透明部材が設置されているとよい。このような構成により、コネクタと基板との固定強度をより確実に維持しつつ、光学検査機により半田付け部の状態を検査することができる。
【０００９】
また、前記透過部には前記固定部材を貫通する穴が形成されていてもよい。このような構成により、簡単な構造の固定部材を用いて、コネクタと基板との固定強度を維持しつつ、光学検査機により半田付け部の状態を検査することができる。
【００１０】
また、前記延長部は透明であることが好ましい。このような構成により、光学検査機を用いて半田付け部の状態をより確実に検査することができる。
【００１１】
他方、本発明にかかるコネクタの検査方法は、前記コネクタを前記基板に取り付け、端子と基板とを半田付けした半田付け部の状態を検査するコネクタの検査方法であって、前記透過部を介して前記半田付け部に光を照射すること、又は、前記透過部を介して前記半田付け部からの反射光を受光することにより前記半田付け部の状態を検査することを特徴とするものである。これにより、前記延長部を有するコネクタであっても、光学検査機により半田付け部の状態を検査できる。
【００１２】
他方、前記ハウジングの前記基板に取り付けられる側を下方とし、前記ハウジングの前記基板とは反対側の面の側を上方とすると、
前記端子は複数本あって、
複数本の前記端子には、
前記背面から列をなして突出する複数の下側列端子と、
前記背面から前記下側端子より上方において列をなして突出する複数の上側列端子とがあり、
前記複数の上側列端子が、列をなして前記基板に半田付けされることにより、それら半田付け箇所が、上側列半田付け部列を形成し、
前記複数の下側列端子は、前記背面と前記上側列半田付け部列との間に半田付けされ、
前記上側列端子は、
前記背面から突出する突出部と、
前記基板に向かい屈曲する屈曲部と、
前記突出部と前記屈曲部とを繋ぎ、前記突出部及び前記屈曲部よりも径の細いくびれ部とを有することを特徴としてもよい。これにより、端子の実装密度を向上させつつ、コネクタと基板との固定強度を維持しつつ、光学検査機により半田付け部の状態を検査できる。
【発明の効果】
【００１３】
本発明により、コネクタと基板との固定強度を維持しつつ、光学検査機により半田付け部の状態を検査できるコネクタを提供することができる。
【図面の簡単な説明】
【００１４】
【図１】基板に固定されたコネクタの斜視図である。（第１実施形態）
【図２】固定部材の正面図である。（第１実施形態）
【図３】コネクタの半田付け部の状態を検査する工程を示す図である。（第１実施形態）
【図４】固定部材の正面図である。（第２実施形態）
【図５】固定部材の正面図である。（第３実施形態）
【図６】基板に固定されたコネクタの上面図である。（第４実施形態）
【発明を実施するための形態】
【００１５】
（第１実施形態）
以下、図１及び図２を参照して本発明の第１実施形態にかかるコネクタについて説明する。
【００１６】
図１は基板に固定されるコネクタの一実施形態を示す。図２は固定部材４の外観を示す。図１に示すように、コネクタ１は固定部材４を介して基板１０に固定される。コネクタ１は、ハウジング２と、端子３と、固定部材４とを備える。
【００１７】
ハウジング２は、その正面において、図示しない相手側コネクタと抜き挿して脱着することができる。ハウジング２は、固定部材４を保持する保持手段としての固定部材保持部２２を側面２１に備える。固定部材保持部２２は、後述する固定部材４のハウジング嵌合部４３を嵌め込むことのできる溝を有している。
【００１８】
端子３は、ハウジング２から外部へ向かって突き出すようにして、ハウジング２の背面２３に保持されている。コネクタ１を基板１０に固定すると、端子３の先端が基板１０の半田付け部１１の形成される位置に到達するように、端子３は適宜、加工されている。
【００１９】
図２に示すように、固定部材４は、固定部材基部４１と、固定部材基部４１から延びる延長部４２とを有する板状体である。図１を併せて参照すると、固定部材基部４１は、固定部材保持部２２の溝に嵌め込まれるハウジング嵌合部４３と、基板１０の固定溝１２に半田付けにより固定される第１基板固定部４４とを有する。ハウジング嵌合部４３を固定部材保持部２２の溝に嵌め込ませて固定部材４をハウジング２に保持させると、延長部４２は端子３の突き出す方向に沿って端子３の先端まで延びるように加工されている。延長部４２は、基板１０の固定溝１３に半田付けにより固定される第２基板固定部４５と、透過部４７とを備える。透過部４７は、延長部４２を貫通する孔４６に、例えば、プラスチックやガラスなどの透明な材料からなる透明板を嵌め込まれて形成されている。これにより、固定部材４は、固定部材として必要な機械的強度を維持しつつ、透過部４７において光を透過させることができる。
【００２０】
固定部材４は、ハウジング嵌合部４３を固定部材保持部２２の溝に嵌め込まれることでハウジング２に保持される。さらに、第１基板固定部４４及び第２基板固定部４５を基板１０の固定溝１２及び固定溝１３にそれぞれ半田付けして、コネクタ１を基板１０に固定する。ここで、コネクタ１は、基板１０の固定溝１２及び固定溝１３にそれぞれ第１基板固定部４４及び第２基板固定部４５を半田付けして固定部材４を介して基板１０に固定されている。また、端子３の先端を基板１０にそれぞれ半田付けして、半田付け部１１が形成される。これにより、コネクタ１と基板１０との固定強度が高められ、相手側コネクタをハウジング２に抜き挿ししてコネクタ１との脱着を繰り返しても、コネクタ１は基板１０との固定を維持することができる。
【００２１】
なお、固定部材４の延長部４２は、端子３の突き出す方向に沿って端子３の先端まで延びるように加工されていたが、端子３の突き出す方向に沿って延びるよう加工されていればよい。
【００２２】
（使用方法）
図３は、光学検査機５０を用いてコネクタ１の半田付け部１１の状態を検査する工程を模式的に示す。図３に示すように、光学検査機５０は、半田付け部１１に向けて照明光やレーザなどの光を照射する光源５１と、半田付け部１１から反射される光を受け付ける受光部５２と、受光部５２より得られた光を電気信号に変換し画像データを作成する画像変換部（図示略）と、画像変換部により得られた画像を表示することのできる表示部（図示略）とを備える。光源５１はコネクタ１の上方に配置され、受光部５２はコネクタ１の側方、かつ、半田付け部１１から上方に傾斜して延びる仮想直線Ａに沿って配置される。なお、この仮想直線Ａと基板１０の主面のなす角度は例えば、４５度である。
【００２３】
光学検査機５０により、光源５１から半田付け部１１に向かって光を照射する。すると、光は、半田付け部１１から反射して、透過部４７を透過して、受光部５２により受光される。続いて、受光部５２から出力される受光信号に基づいて画像変換部により画像データを作成して、この画像データに基づく画像が表示部により表示される。すなわち、光学検査機５０を用いて、半田付け部１１の状態を検査することができる。なお、光源５１と受光部５２の位置を交換しても、光源５１から照射される光を透過部４７により透過させることができ、光学検査機５０により半田付け部１１の状態を検査することができる。
【００２４】
以上、第１の実施形態にかかるコネクタは、コネクタと基板との固定強度を維持しつつ、光学検査機により半田付け部の状態を検査できる。
【００２５】
（第２実施形態）
以下、図４を参照して本発明の第２実施形態にかかるコネクタについて説明する。第２実施形態にかかるコネクタは、上記した第１実施形態にかかるコネクタと比較して、固定部材のみを異にしており、他の部材については共通するため説明を省略する。また、第１実施形態の固定部材４と共通する箇所には相当する符号を付することにより説明を簡略化する。
【００２６】
図４に示すように、第２実施形態にかかるコネクタに用いられる固定部材１４０は、透過部において、透明板を省略したことのみを固定部材４と異にしており、他の箇所については固定部材４と共通する。固定部材１４０は、透明板の無い比較的簡単な構造でありつつも、透過部１４７において孔１４６から光を透過させることができるとともに、固定部材として必要な機械的強度を有している。すなわち、第２実施形態にかかるコネクタは、比較的簡単な構造の固定部材１４０を介して基板１０に固定されて、基板１０との固定強度を維持しつつ、光学検査機により半田付け部の状態を検査できる。
【００２７】
（第３実施形態）
以下、図５を参照して本発明の第３実施形態にかかるコネクタについて説明する。第３実施形態にかかるコネクタは、上記した第１実施形態にかかるコネクタと比較して、固定部材のみを異にしており、他の部材については共通するため説明を省略する。また、第１実施形態の固定部材４と共通する箇所には相当する符号を付することにより説明を簡略化する。
【００２８】
図５に示すように、第３実施形態にかかるコネクタに用いられる固定部材２４０は、固定部材として必要な強度を有するとともに、透明な材料、例えば、プラスチックやガラスなどの材料からなる板状体である。固定部材２４０は、固定部材基部２４１と、固定部材基部２４１から延びる延長部２４２とを備える。固定部材基部２４１は、透明な材料からなることのみ固定部材基部４１と異にしており、他については共通する。延長部２４２は、透明な材料からなること、及び、透明板の嵌め込みと孔の形成を省略したことを延長部４２と異にしており、他については固定部材４と共通している。延長部２４２は、透明な材料からなる板状体であることから、全面に渡って光を透過させることができる。つまり、延長部２４２における透過部２４７は、延長部２４２の全面に渡るものである。
【００２９】
固定部材２４０は、固定部材として必要な機械的強度を有するとともに、透過部２４７において光を透過させることができる。すなわち、第３実施形態にかかるコネクタは、固定部材２４０を介して基板１０に固定されるので、光学検査機による光をより確実に透過させることができる。すなわち、第３実施形態にかかるコネクタは、固定部材２４０を介して基板１０に固定されるので、基板１０との固定強度を維持しつつ、光学検査機により半田付け部の状態をより確実に検査できる。
【００３０】
（第４実施形態）
次に、本発明の第４実施形態にかかるコネクタについて説明する。第４実施形態にかかるコネクタは、ハウジングの外壁面から突出する多数の端子を、この外壁面に沿って複数列に並ぶように基板に半田付けしたコネクタにおける課題を解決するためになされたものである。このようなコネクタでは、端子の実装密度向上のため、この外壁面から比較的遠い列に半田付けされる端子は、この外壁面から比較的近い列に半田付けされる端子と比較して、この外壁面の上部から突出させる。光学検査機を用いて、ハウジングの外壁面から比較的近い列に半田付けされる端子の半田付け部の状態を検査しようとすると、光学検査機による入光や受光をこの外壁面から比較的遠い列に半田付けされる端子が遮ってしまう。そのため、光学検査機により半田付け部の状態を検査できないという課題が生じる。
【００３１】
以下、図６を参照して第４実施形態にかかるコネクタについて説明する。第４実施形態にかかるコネクタは、上記した第１実施形態にかかるコネクタと比較して、端子を異にしており、他の部材については共通するため説明を省略する。また、第１実施形態と共通する箇所には相当する符号を付することにより説明を簡略化する。図６は、第４実施形態にかかるコネクタの上面図及び側面図を示す。
【００３２】
図６に示すように、コネクタ３０１は、複数本の端子３３０を含む。ここで、ハウジング３０２の基板３１０に取り付けられる側を下方とし、ハウジング３０２の基板３１０とは反対側の面の側を上方とする。複数本の端子３３０は、背面３２３から列をなして突出する複数の下側列端子３３１と、下側列端子３３１の上方において背面３２３から上側列をなして突出する複数の上側列端子３３２を含む。
【００３３】
複数の上側列端子３３２は、列をなして基板３１０に半田付けされる。この半田付け箇所が、上側列半田付け部列３１１０を形成する。下側列端子３３１は、前記背面３２３と上側列半田付け部３１１との間に半田付けされ、下側列半田付け部３１１１を形成する。これらにより、基板３１０に半田付けされる端子の面積当たりの本数、すなわち、端子の実装密度を高めることができる。
【００３４】
上側列端子３３２の一本一本は、背面３２３から突出する突出部３３３と、基板３１０に向かい屈曲する屈曲部３３４と、突出部３３３及び屈曲部３３４を繋ぐくびれ部３３５とを有する。くびれ部３３５は、突出部３３３及び屈曲部３３４と比較して細い径を有する。このくびれ部３３５により、コネクタ３０１の上方への受光、及び、コネクタ３０１の上方からの入光を、下側端子３３１の半田付け部３１１１まで到達させて、光学検査機によりこの半田付け部の状態を検査できる。すなわち、端子の実装密度を高めつつ、コネクタと基板との固定強度を維持しつつ、光学検査機により半田付け部の状態を検査できる。
【００３５】
なお、本発明は上記実施形態に限定されず、本発明の目的を達成できる範囲での変形、改良等は本発明に含まれる。
【符号の説明】
【００３６】
１、３０１  コネクタ、２、３０２  ハウジング、３、３３０  端子、
４、１４０、２４０  固定部材、１０、３１０  基板、２３、３２３  背面、
４２、１４２、２４２  延長部、４７、１４７、２４７  透過部
【図１】
2014120217.tif 000003
【図２】
2014120217.tif 000004
【図３】
2014120217.tif 000005
【図４】
2014120217.tif 000006
【図５】
2014120217.tif 000007
【図６】
2014120217.tif 000008